(57)【特許請求の範囲】
【請求項１】
系統から供給を受ける電力の使用状況を表示する表示装置であって、
表示部と、
互いに交差する第１座標軸及び第２座標軸によって表現される座標空間を示す第１画像を前記表示部に表示させる制御部と、を備え、
前記第１座標軸は、第１期間において前記系統から供給を受ける電力量である第１電力量の大きさを特定するための座標軸であり、
前記第２座標軸は、前記第１期間とは異なる第２期間において前記系統から供給を受ける電力量である第２電力量の大きさを特定するための座標軸であり、
前記第１電力量は、電力供給を受ける際の基本料金に影響を与えるパラメータであり、
前記第２電力量は、電力供給を受ける際の電気量料金に影響を与えるパラメータであり、
前記制御部は、前記座標空間上において現在時点における前記第１電力量及び前記第２電力量を示す第２画像を前記第1画像とともに前記表示部に表示させることを特徴とする表示装置。
【請求項２】
前記第２期間は、期間を選択可能であり、
前記所定座標は、前記第２期間として選択された期間における前記第２電力量を示す座標であることを特徴とする請求項１に記載の表示装置。
【請求項３】
前記制御部は、前記系統から供給を受けた電力の履歴に基づいて、前記第１電力量及び前記第２電力量の推移を示す画像を前記第２画像として前記表示部に表示させることを特徴とする請求項１又は請求項２に記載の表示装置。
【請求項４】
前記制御部は、前記座標空間の少なくとも第１象限に対応する箇所と第３象限に対応する箇所とに対して異なる色彩を付与して前記第１画像を前記表示部に表示させることを特徴とする請求項１乃至請求項３のいずれかに記載の表示装置。
【請求項５】
前記第１座標軸及び前記第２座標軸は、前記第１電力量の第１目標値及び前記第２電力量の第２目標値を示す座標で交わることを特徴とする請求項１乃至請求項４のいずれかに記載の表示装置。
【請求項６】
前記制御部は、前記座標空間に、前記第１電力量の第１目標値を特定する直線、及び前記第２電力量の第２目標値を特定する直線をさらに描画することを特徴とする請求項１乃至請求項４のいずれかに記載の表示装置。
【請求項７】
前記第２目標値は、前記第２期間が属する時間帯、日、月、曜日又は季節毎に異なっており、前記系統から供給された電力の履歴に基づいて設定されることを特徴とする請求項５または６に記載の表示装置。
【請求項８】
前記制御部は、前記座標空間に、前記系統から供給を受ける電力量の契約上限値を特定する直線をさらに描画することを特徴とする請求項１乃至請求項７のいずれかに記載の表示装置。
【請求項９】
系統から供給を受ける電力の使用状況を表示する表示方法であって、
互いに交差する第１座標軸及び第２座標軸によって表現される座標空間を示す第１画像を表示するステップＡを備え、
前記第１座標軸は、第１期間において前記系統から供給を受ける電力量である第１電力量の大きさを特定するための軸であり、
前記第２座標軸は、前記第１期間とは異なる第２期間において前記系統から供給を受ける電力量である第２電力量の大きさを特定するための軸であり、
前記第１電力量は、電力供給を受ける際の基本料金に影響を与えるパラメータであり、
前記第２電力量は、電力供給を受ける際の電気量料金に影響を与えるパラメータであり、
前記ステップＡは、前記座標空間上において現在時点における前記第１電力量及び前記第２電力量を示す第２画像を前記第1画像とともに表示するステップを含むことを特徴とする表示方法。
【発明の詳細な説明】
【技術分野】
【０００１】
本発明は、系統から供給を受ける電力の使用状況を表示する表示装置及び表示方法に関する。
【背景技術】
【０００２】
近年、太陽電池、風力発電装置などの発電装置を有するエネルギー管理システムが知られている。
【０００３】
ところで、各国の電力事情に大きく左右されるが、例えば、日本においては高圧受電者の総電力料金は、基本料金及び電力量料金によって定められる。基本料金は、過去の所定期間（例えば、３０分）におけるピーク電力量に基づいて定められる。一方で、電力量料金は、計算対象期間における電力使用量に基づいて定められる。このような日本国内における電力料金の定め方は、例えば、特許文献１に示されている。
【先行技術文献】
【特許文献】
【０００４】
【特許文献１】特開２０１０−２３７１１９号公報
【発明の概要】
【発明が解決しようとする課題】
【０００５】
このような電力料金の定め方においては、高圧受電者にとって、電力料金を考慮した所有機器の運転を考える場合には、現在の電力料金に対する電力の使用状態を把握することを欲する。しかしながら、その電力料金を決定する体系自体が複雑であるために、状態の把握に時間を要する。また、日本国内における高圧受電者でなくとも、同様の料金決定体系を有する電力会社から電力需給をうける者にとっても同様である。
【０００６】
そこで、本発明は、上述した課題を解決するためになされたものであり、受電者に対して、適切な情報を分かりやすく提供することを可能とする表示装置及び表示方法を提供することを目的とする。
【課題を解決するための手段】
【０００７】
第１の特徴に係る表示装置は、系統から供給を受ける電力の使用状況を表示する。表示装置は、第１軸及び第２軸によって表現される座標空間において、前記系統から供給を受ける電力の使用状況を示す座標を示す画像を表示する表示部を備える。前記第１軸は、基本料金に影響を与えるパラメータを示し、第１期間において前記系統から供給を受ける電力量を特定するための軸である。前記第２軸は、電気量料金に影響を与えるパラメータを示し、前記第１期間とは異なる第２期間において前記系統から供給を受ける電力量を特定するための軸である。
【０００８】
第１の特徴において、前記第２期間は、選択可能であり、前記表示部は、選択された第２期間によって定義される前記第２軸を用いて、前記画像を表示する。
【０００９】
第１の特徴において、前記表示部は、前記系統から供給された電力の履歴に基づいて、前記系統から供給を受ける電力量の推移を示す画像を表示する。
【００１０】
第１の特徴において、前記表示部は、前記座標空間の少なくとも第１象限に対応する箇所と第３象限に対応する箇所とに対して異なる色彩を付与して前記座標空間を表示する。
【００１１】
第１の特徴において、前記第１軸及び前記第２軸は、前記第１期間において前記系統から供給を受ける電力量の第１目標値及び前記第２期間において前記系統から供給を受ける電力量の第２目標値を示す座標で交わる。
【００１２】
第１の特徴において、前記第２目標値は、前記第２期間が属する時間帯、日、月、曜日又は季節毎に異なっており、前記系統から供給された電力の履歴に基づいて設定される。
【００１３】
第２の特徴に係る表示方法は、系統から供給を受ける電力の使用状況を表示する方法である。表示方法は、第１軸及び第２軸によって表現される座標空間において、前記系統から供給を受ける電力の使用状況を示す座標を示す画像を表示するステップを備える。前記第１軸は、基本料金に影響を与えるパラメータを示し、第１期間において前記系統から供給を受ける電力量を特定するための軸である。前記第２軸は、電気量料金に影響を与えるパラメータを示し、前記第１期間とは異なる第２期間において前記系統から供給を受ける電力量を特定するための軸である。
【発明の効果】
【００１４】
本発明によれば、受電者に対して、適切な情報を分かりやすく提供することを可能とする表示装置及び表示方法を提供することができる。
【図面の簡単な説明】
【００１５】
【図１】図１は、第１実施形態に係るエネルギー管理システム１００を示す図である。
【図２】図２は、第１実施形態に係る需要家１０を示す図である。
【図３】図３は、第１実施形態に係るＥＭＳ２００を示す図である。
【図４】図４は、第１実施形態に係る表示態様を示す図である。
【図５】図５は、第１実施形態に係る表示態様を示す図である。
【図６】図６は、第１実施形態に係る表示態様を示す図である。
【図７】図７は、第１実施形態に係る表示方法を示す図である。
【発明を実施するための形態】
【００１６】
以下において、本発明の実施形態に係る表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る表示装置は、系統から供給を受ける電力の使用状況を表示する。表示装置は、互いに直交する第１軸及び第２軸によって表現される座標空間において、前記系統から供給を受ける電力の使用状況を示す座標を示す画像を表示する表示部を備える。前記第１軸は、基本料金に影響を与えるパラメータを示し、第１期間において前記系統から供給を受ける電力量を特定するための軸である。前記第２軸は、電気量料金に影響を与えるパラメータを示し、前記第１期間とは異なる第２期間において前記系統から供給を受ける電力量を特定するための軸である。
【００１９】
実施形態では、表示装置は、基本料金に影響を与えるパラメータを示す第１軸及び電気量料金に影響を与えるパラメータを示す第２軸によって表現される座標空間において、系統から供給を受ける電力の使用状況を示す座標を示す画像を表示する。
【００２０】
従って、電力料金を決定する体系が基本料金及び電力量料金という２つの値によって定められる複雑な体系であっても、受電者に対して、現在の電力料金に対する電力の使用状態を分かりやすく提供することができる。
【００２１】
［第１実施形態］
（エネルギー管理システム）
以下において、第１実施形態に係るエネルギー管理システムについて説明する。図１は、第１実施形態に係るエネルギー管理システム１００を示す図である。
【００２２】
図１に示すように、エネルギー管理システム１００は、需要家１０と、ＣＥＭＳ２０と、変電所３０と、スマートサーバ４０と、発電所５０とを有する。なお、需要家１０、ＣＥＭＳ２０、変電所３０及びスマートサーバ４０は、ネットワーク６０によって接続されている。
【００２３】
需要家１０は、例えば、発電装置及び蓄電装置を有する。発電装置は、例えば、燃料電池のように、燃料ガスを利用して電力を出力する装置である。蓄電装置は、例えば、二次電池などのように、電力を蓄積する装置である。
【００２４】
需要家１０は、例えば、一戸建ての住宅であってもよく、マンションなどの集合住宅であってもよく、ビルなどの商用施設であってもよく、工場であってもよい。
【００２５】
第１実施形態では、複数の需要家１０によって、需要家群１０Ａ及び需要家群１０Ｂが構成されている。需要家群１０Ａ及び需要家群１０Ｂは、例えば、地理的な地域によって分類される。
【００２６】
ＣＥＭＳ２０は、複数の需要家１０と電力系統との間の連系を制御する。なお、ＣＥＭＳ２０は、複数の需要家１０を管理するため、ＣＥＭＳ（Ｃｌｕｓｔｅｒ／Ｃｏｍｍｕｎｉｔｙ  Ｅｎｅｒｇｙ  Ｍａｎａｇｅｍｅｎｔ  Ｓｙｓｔｅｍ）と称されることもある。具体的には、ＣＥＭＳ２０は、停電時などにおいて、複数の需要家１０と電力系統との間を解列する。一方で、ＣＥＭＳ２０は、復電時などにおいて、複数の需要家１０と電力系統との間を連系する。
【００２７】
第１実施形態では、ＣＥＭＳ２０Ａ及びＣＥＭＳ２０Ｂが設けられている。ＣＥＭＳ２０Ａは、例えば、需要家群１０Ａに含まれる需要家１０と電力系統との間の連系を制御する。ＣＥＭＳ２０Ｂは、例えば、需要家群１０Ｂに含まれる需要家１０と電力系統との間の連系を制御する。
【００２８】
変電所３０は、複数の需要家１０に対して、配電線３１を介して電力を供給する。具体的には、変電所３０は、発電所５０から供給を受ける電圧を降圧する。
【００２９】
第１実施形態では、変電所３０Ａ及び変電所３０Ｂが設けられている。変電所３０Ａは、例えば、需要家群１０Ａに含まれる需要家１０に対して、配電線３１Ａを介して電力を供給する。変電所３０Ｂは、例えば、需要家群１０Ｂに含まれる需要家１０に対して、配電線３１Ｂを介して電力を供給する。
【００３０】
スマートサーバ４０は、複数のＣＥＭＳ２０（ここでは、ＣＥＭＳ２０Ａ及びＣＥＭＳ２０Ｂ）を管理する。また、スマートサーバ４０は、複数の変電所３０（ここでは、変電所３０Ａ及び変電所３０Ｂ）を管理する。言い換えると、スマートサーバ４０は、需要家群１０Ａ及び需要家群１０Ｂに含まれる需要家１０を統括的に管理する。スマートサーバ４０は、例えば、需要家群１０Ａに供給すべき電力と需要家群１０Ｂに供給すべき電力とのバランスを取る機能を有する。
【００３１】
発電所５０は、火力、風力、水力、原子力などによって発電を行う。発電所５０は、複数の変電所３０（ここでは、変電所３０Ａ及び変電所３０Ｂ）に対して、送電線５１を介して電力を供給する。
【００３２】
ネットワーク６０は、信号線を介して各装置に接続される。ネットワーク６０は、例えば、インターネット、広域回線網、狭域回線網、携帯電話網などである。
【００３３】
（需要家）
以下において、第１実施形態に係る需要家について説明する。図２は、第１実施形態に係る需要家１０の詳細を示す図である。
【００３４】
図２に示すように、需要家１０は、分電盤１１０と、負荷１２０と、ＰＶユニット１３０と、蓄電池ユニット１４０と、燃料電池ユニット１５０と、貯湯ユニット１６０と、ＥＭＳ２００とを有する。
【００３５】
分電盤１１０は、配電線３１（系統）に接続されている。分電盤１１０は、電力線を介して、負荷１２０、ＰＶユニット１３０、蓄電池ユニット１４０及び燃料電池ユニット１５０に接続されている。
【００３６】
負荷１２０は、電力線を介して供給を受ける電力を消費する装置である。例えば、負荷１２０は、冷蔵庫、照明、エアコン、テレビなどの装置を含む。なお、負荷１２０は、単数の装置であってもよく、複数の装置を含んでもよい。
【００３７】
ＰＶユニット１３０は、ＰＶ１３１と、ＰＣＳ１３２とを有する。ＰＶ１３１は、発電装置の一例であり、太陽光の受光に応じて発電を行う太陽光発電装置である。ＰＶ１３１は、発電されたＤＣ電力を出力する。ＰＶ１３１の発電量は、ＰＶ１３１に照射される日射量に応じて変化する。ＰＣＳ１３２は、ＰＶ１３１から出力されたＤＣ電力をＡＣ電力に変換する装置（Ｐｏｗｅｒ  Ｃｏｎｄｉｔｉｏｎｉｎｇ  Ｓｙｓｔｅｍ）である。ＰＣＳ１３２は、電力線を介してＡＣ電力を分電盤１１０に出力する。
【００３８】
第１実施形態において、ＰＶユニット１３０は、ＰＶ１３１に照射される日射量を測定する日射計を有していてもよい。
【００３９】
ＰＶユニット１３０は、ＭＰＰＴ（Ｍａｘｉｍｕｍ  Ｐｏｗｅｒ  Ｐｏｉｎｔ  Ｔｒａｃｋｉｎｇ）法によって制御される。詳細には、ＰＶユニット１３０は、ＰＶ１３１の動作点（動作点電圧値及び電力値によって定まる点、又は、動作点電圧値と電流値とによって定まる点）を最適化する。
【００４０】
蓄電池ユニット１４０は、蓄電池１４１と、ＰＣＳ１４２とを有する。蓄電池１４１は、電力を蓄積する装置である。ＰＣＳ１４２は、配電線３１（系統）から供給されるＡＣ電力をＤＣ電力に変換する装置（Ｐｏｗｅｒ  Ｃｏｎｄｉｔｉｏｎｉｎｇ  Ｓｙｓｔｅｍ）である。また、ＰＣＳ１４２は、蓄電池１４１から出力されたＤＣ電力をＡＣ電力に変換する。
【００４１】
燃料電池ユニット１５０は、燃料電池１５１と、ＰＣＳ１５２とを有する。燃料電池１５１は、発電装置の一例であり、燃料ガスを利用して電力を出力する装置である。ＰＣＳ１５２は、燃料電池１５１から出力されたＤＣ電力をＡＣ電力に変換する装置（Ｐｏｗｅｒ  Ｃｏｎｄｉｔｉｏｎｉｎｇ  Ｓｙｓｔｅｍ）である。
【００４２】
燃料電池ユニット１５０は、負荷追従制御によって動作する。詳細には、燃料電池ユニット１５０は、燃料電池１５１から出力される電力が負荷追従制御の目標電力となるように燃料電池１５１を制御する。
【００４３】
貯湯ユニット１６０は、電力を熱に変換して、熱を蓄積したり、燃料電池ユニット１５０等のコージェネレーション機器が発生する熱を湯として蓄えたりする蓄熱装置の一例である。具体的には、貯湯ユニット１６０は、貯湯槽を有しており、燃料電池１５１の運転（発電）によって生じる排熱によって、貯湯槽から供給される水を温める。詳細には、貯湯ユニット１６０は、貯湯槽から供給される水を温めて、温められた湯を貯湯槽に還流する。
【００４４】
ＥＭＳ２００は、ＰＶユニット１３０、蓄電池ユニット１４０、燃料電池ユニット１５０及び貯湯ユニット１６０を制御する。具体的には、ＥＭＳ２００は、ＰＶユニット１３０、蓄電池ユニット１４０、燃料電池ユニット１５０及び貯湯ユニット１６０に信号線を介して接続されており、ＰＶユニット１３０、蓄電池ユニット１４０、燃料電池ユニット１５０及び貯湯ユニット１６０を制御する。また、ＥＭＳ２００は、負荷１２０の動作モードを制御することによって、負荷１２０の消費電力を制御する。
【００４５】
また、ＥＭＳ２００は、ネットワーク６０を介して各種サーバと接続される。各種サーバは、例えば、系統から供給を受ける電力の購入単価、系統から供給を受ける電力の売却単価、燃料ガスの購入単価などの情報（以下、エネルギー料金情報）を格納する。
【００４６】
或いは、各種サーバは、例えば、負荷１２０の消費電力を予測するための情報（以下、消費エネルギー予測情報）を格納する。消費エネルギー予測情報は、例えば、過去の負荷１２０の消費電力の実績値に基づいて生成されてもよい。或いは、消費エネルギー予測情報は、負荷１２０の消費電力の予め定められた標準的なモデル値であってもよい。
【００４７】
或いは、各種サーバは、例えば、ＰＶ１３１の発電量を予測するための情報（以下、ＰＶ発電量予測情報）を格納する。ＰＶ発電予測情報は、ＰＶ１３１に照射される日射量の予測値であってもよい。或いは、ＰＶ発電予測情報は、天気予報、季節、日照時間などであってもよい。
【００４８】
詳細には、図３に示すように、ＥＭＳ２００は、受信部２１０と、送信部２２０と、表示部２３０と、制御部２４０とを有する。第１実施形態において、ＥＭＳ２００は、表示装置の一例である。
【００４９】
受信部２１０は、信号線を介して接続された装置から各種信号を受信する。例えば、受信部２１０は、ＰＶ１３１の発電量を示す情報をＰＶユニット１３０から受信する。受信部２１０は、蓄電池１４１の蓄電量を示す情報を蓄電池ユニット１４０から受信する。受信部２１０は、燃料電池１５１の発電量を示す情報を燃料電池ユニット１５０から受信する。受信部２１０は、貯湯ユニット１６０の貯湯量を示す情報を貯湯ユニット１６０から受信する。
【００５０】
第１実施形態において、受信部２１０は、エネルギー料金情報、消費エネルギー予測情報及びＰＶ発電量予測情報を、ネットワーク６０を介して各種サーバから受信してもよい。但し、エネルギー料金情報、消費エネルギー予測情報及びＰＶ発電量予測情報は、予めＥＭＳ２００に記憶されていてもよい。
【００５１】
送信部２２０は、信号線を介して接続された装置に各種信号を送信する。例えば、送信部２２０は、ＰＶユニット１３０、蓄電池ユニット１４０、燃料電池ユニット１５０及び貯湯ユニット１６０を制御するための信号を各装置に送信する。送信部２２０は、負荷１２０を制御するための制御信号を負荷１２０に送信する。
【００５２】
表示部２３０は、互いに直交する第１軸及び第２軸によって表現される座標空間において、系統から供給を受ける電力の使用状況を示す座標を示す画像を表示する。第１軸は、基本料金に影響を与えるパラメータを示し、第１期間（例えば、３０分）において系統から供給を受ける電力量（使用電力量）を特定するための軸である。
【００５３】
第２軸は、電気量料金に影響を与えるパラメータを示し、第１期間とは異なる第２期間（例えば、１時間、１日、１週間、１ヶ月）において系統から供給を受ける電力量（使用電力量）を特定するための軸である。
【００５４】
第１実施形態において、総電力料金は、基本料金及び電力量料金という２つの体系によって定められることに留意すべきである。ここでその算出プロセス概要について説明する。
【００５５】
まず、基本料金は、過去の所定期間（例えば、３０分）における電力量に基づいて定められる。すなわち、分電盤１１０に接続された最大需要電力計（デマンド計）により、３０分間の電力量（使用電力量）を計測する。そして当該３０分間における平均使用電力（kW）を算出する。この平均使用電力が３０分デマンド値と呼ばれる。そして、1ヶ月の中で最大の３０分デマンド値を、その月の最大需要電力（最大デマンド値）と呼ぶ。そして、その月の最大デマンド値、あるいは過去１年の間における最大デマンド値の中で最も大きい値が基本料金の計算に使用されることとなる。つまり、１ヶ月あるいは１年間のうち、一度でも大きなデマンド値が生じると、翌月あるいは翌１年間にわたり、そのデマンド値を用いた基本料金が適用されることとなる。このようにして基本料金は定められる。
【００５６】
一方で、電力量料金は、計算対象期間（一般的には１ヶ月あるいは１年）における電力使用量に基づいて定められる。すなわち、電力料金を算出する期間の電力量料金は、従量額である。
【００５７】
基本料金に影響を与える第１期間とは、例えば３０分であり、電気量料金に影響を与える第２期間とは、例えば１ヶ月あるいは１年であって、第１期間と第２期間とは異なる時間長である。
【００５８】
ここで、第１期間及び第２期間が異なっているため、第１軸上における座標の更新タイミングは、第２軸上における座標の更新タイミングと異なることに留意すべきである。
【００５９】
第１実施形態において、第２期間は、受電者によって選択可能であってもよい。このようなケースでは、表示部２３０は、受電者によって選択された第２期間によって定義される第２軸を用いて、系統から供給を受ける電力の使用状況を示す座標を示す画像を表示してもよい。
【００６０】
第１実施形態において、表示部２３０は、系統から供給を受けた電力の履歴に基づいて、系統から供給を受ける電力量の推移を示す画像を表示してもよい。例えば、系統から供給を受ける電力量の推移を示す画像は、系統から供給を受ける電力量が推移する向き（ベクトル）を示す画像である。系統から供給を受ける電力量の推移を示す画像は、系統から供給を受ける電力量が単位時間（例えば、５分）当たりに推移する量（ベクトルの大きさ）を示す画像であってもよい。
【００６１】
第１実施形態において、表示部２３０は、座標空間の少なくとも第１象限に対応する箇所と第３象限に対応する箇所とに対して異なる色彩を付与して座標空間を表示してもよい。例えば、第１象限が良好な状態（すなわち、使用電力量が少ない状態）を示す象限である場合には、表示部２３０は、第１象限に対応する箇所に寒色系の色彩（例えば青、あるいは緑）を付与する。第３象限が劣悪な状態（すなわち、使用電力量が多い状態）を示す象限である場合には、表示部２３０は、第３象限に対応する箇所に暖色系の色彩（例えば赤、あるいは黄）を付与する。表示部２３０は、第１象限から第３象限にかけてグラデーションによって色彩を付与してもよい。
【００６２】
第１実施形態において、第１軸及び第２軸は、第１期間において系統から供給を受ける電力量の第１目標値及び第２期間において系統から供給を受ける電力量の第２目標値を示す座標で交わってもよい。あるいは、第１軸及び第２軸によって表現される座標空間に、第１期間において系統から供給を受ける電力量の第１目標値を特定する直線、及び第２期間において系統から供給を受ける電力量の第２目標値を特定する直線がさらに描画されてもよい（図４〜図６の点線を参照）。
【００６３】
第１目標値は、例えば、将来の基本料金が上昇する使用電力量の閾値から所定マージンを差し引いた値である。第２目標値は、例えば、系統から供給された電力の履歴（電力量）の平均値である。第２目標値は、第２期間が属する時間帯、日、月、曜日又は季節毎に異なっていてもよい。
【００６４】
制御部２４０は、負荷１２０、ＰＶユニット１３０、蓄電池ユニット１４０、燃料電池ユニット１５０及び貯湯ユニット１６０を制御する。
【００６５】
第１実施形態において、制御部２４０は、系統から供給を受ける電力量（使用電力量）を蓄積する。具体的には、制御部２４０は、第１軸に関する使用電力量及び第２軸に関する使用電力量を別々に蓄積する。制御部２４０は、第１軸に関する使用電力量を第１期間毎（例えば３０分毎）にリセットする。同様に、制御部２４０は、第２軸に関する使用電力量を第２期間毎（例えば１ヶ月毎）にリセットする。
【００６６】
上述した表示部２３０は、第１軸に関する使用電力量及び第２軸に関する使用電力量に基づいて、系統から供給を受ける電力の使用状況を示す座標を示す画像を表示する。
【００６７】
（表示態様）
以下において、第１実施形態に係る表示態様について説明する。図４〜図６は、第１実施形態に係る表示態様を示す図である。
【００６８】
図４に示すように、第１軸及び第２軸によって表現される座標空間において、第１軸に関する使用電力量及び第２軸に関する使用電力量を示す座標に、系統から供給を受ける電力の使用状況を示す座標を示す画像としてキャラクター画像を表示する。さらに、系統から供給を受ける電力量の推移を示す画像として、階段の昇降を示す画像を表示する。
【００６９】
例えば、電力使用状況が良好な状態（すなわち、使用電力量が少ない状態）に向かっている場合には、キャラクターが図中右上方向に向き、かつ階段を昇る画像が表示される。電力使用状況が劣悪な状態（すなわち、使用電力量が多い状態）に向かっている場合には、キャラクター図中左下方向へ階段を転げ落ちる画像が表示される。
【００７０】
或いは、図５に示すように、第１軸及び第２軸によって表現される座標空間において、第１軸に関する使用電力量及び第２軸に関する使用電力量を示す座標に、系統から供給を受ける電力の使用状況を示す座標を示す画像として、キャラクターが画像を表示する。さらに、系統から供給を受ける電力量の推移を示す画像として、方向を示す指標”＞”が表示される。
【００７１】
ここで、指標“＞”の向きは、系統から供給を受ける電力量が推移する向き（ベクトル）を示している。また、指標“＞”の数は、系統から供給を受ける電力量が単位時間（例えば、５分）当たりに推移する量（ベクトルの大きさ）を示している。
【００７２】
或いは、図６に示すように、第１軸及び第２軸によって表現される座標空間において、第１軸に関する使用電力量及び第２軸に関する使用電力量を示す座標に、系統から供給を受ける電力の使用状況を示す座標を示す画像として、キャラクター画像を表示する。さらに、系統から供給を受ける電力量の推移を示す画像として、方向を示す指標”→”が表示される。
【００７３】
ここで、指標“→”の向きは、系統から供給を受ける電力量が推移する向き（ベクトル）を示している。指標“→”の長さは、系統から供給を受ける電力量が単位時間（例えば、５分）当たりに推移する量（ベクトルの大きさ）を示している。
【００７４】
図４〜図６では、第１象限に対応する箇所に寒色系の色彩が付与され、第３象限に対応する箇所に暖色系の色彩が付与されることが好ましい。そして、第１軸と第２軸それぞれにおける目標値を示す座標において第１軸と第２軸とが交差していてもよいし、それぞれの軸における目標値を示す直線をさらに描画していてもよい。このような目標値を示すことにより、目標値に対する現在の状況が一目瞭然なものとなる。
【００７５】
（表示方法）
以下において、第１実施形態に係る表示方法について説明する。図７は、第１実施形態に係る表示方法を示すフロー図である。図７に示すフローは、所定周期（例えば、１分）で繰り返されることに留意すべきである。所定周期は、表示部２３０によって表示される画像の更新周期である。
【００７６】
図７に示すように、ステップ１０において、ＥＭＳ２００は、系統から供給を受ける電力（使用電力量）を蓄積する。
【００７７】
ステップ２０において、ＥＭＳ２００は、第１軸上の座標を更新してから第１期間が経過したか否かを判定する。ＥＭＳ２００は、判定結果が”ＹＥＳ”である場合に、ステップ３０の処理に移る。ＥＭＳ２００は、判定結果が”ＮＯ”である場合に、ステップ４０の処理に移る。
【００７８】
ステップ３０において、ＥＭＳ２００は、第１軸に関する使用電力量をリセットする。
【００７９】
ステップ４０において、ＥＭＳ２００は、第２軸上の座標を更新してから第２期間が経過したか否かを判定する。ＥＭＳ２００は、判定結果が”ＹＥＳ”である場合に、ステップ５０の処理に移る。ＥＭＳ２００は、判定結果が”ＮＯ”である場合に、ステップ６０の処理に移る。
【００８０】
ステップ５０において、ＥＭＳ２００は、第２軸に関する使用電力量をリセットする。
【００８１】
ステップ６０において、ＥＭＳ２００は、表示部２３０によって表示される画像を更新する。すなわち、ＥＭＳ２００は、第１軸及び第２軸によって表現される座標空間において、系統から供給を受ける電力の使用状況を示す座標を示す画像を表示（更新）する。
【００８２】
以上説明したように、第１実施形態では、ＥＭＳ２００は、基本料金に影響を与えるパラメータを示す第１軸及び電気量料金に影響を与えるパラメータを示す第２軸によって表現される座標空間において、系統から供給を受ける電力の使用状況を示す座標を示す画像を表示する。
【００８３】
従って、電力料金を決定する体系が基本料金及び電力量料金によって定められる複雑な体系であっても、受電者に対して、現在の電力料金に対する電力の使用状態を分かりやすく提供することができる。
【００８４】
これによって、受電者は、例えば、負荷１２０の消費電力を制御することによって、系統から供給を受ける電力の使用量を適切に管理することができる。同様に、受電者は、蓄電池ユニット１４０及び燃料電池ユニット１５０の動作モードを適切に設定することができる。
【００８５】
ところで、第１軸と第２軸それぞれにおける目標値を示す例を上述したが、さらに、上限電力なる値を座標空間に描画してもよい。例えば日本においては、高圧受電者の場合、電力会社とは契約により最大需要電力（最大デマンド値）の上限が決められている。そして、上限電力を超えた場合には、通常より割増の違約金を支払うことが必要となっている。そのため、座標空間上に契約上限値を特定する直線を示しておけば、これを超えないように電力使用を心がけやすくなり、違約金の発生を抑制することにつながる。この契約上限値を示す直線は、最大デマンド値に上限値が設けられている場合には、第１期間に対応するように描画し、月間あるいは年間といった使用量に上限が設けられている場合には第２期間に対応するように描画する。
【００８６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００８７】
実施形態において、表示装置がＥＭＳ２００に設けられるケースを例示した。しかしながら、実施形態は、これに限定されるものではない。表示装置は、需要家１０に設けられる機器を制御する機能を有していない装置に設けられていてもよい。
【００８８】
ＥＭＳ２００は、ＳＥＭＳ（Ｓｔｏｒｅ  Ｅｎｅｒｇｙ  Ｍａｎａｇｅｍｅｎｔ  Ｓｙｓｔｅｍ）であってもよく、ＢＥＭＳ（Ｂｕｉｌｄｉｎｇ  Ｅｎｅｒｇｙ  Ｍａｎａｇｅｍｅｎｔ  Ｓｙｓｔｅｍ）であってもよく、ＦＥＭＳ（Ｆａｃｔｏｒｙ  Ｅｎｅｒｇｙ  Ｍａｎａｇｅｍｅｎｔ  Ｓｙｓｔｅｍ）であってもよい。ＥＭＳ２００は、ＨＥＭＳ（Ｈｏｍｅ  Ｅｎｅｒｇｙ  Ｍａｎａｇｅｍｅｎｔ  Ｓｙｓｔｅｍ）であってもよい。
【符号の説明】
【００８９】
１０…需要家、２０…ＣＥＭＳ、３０…変電所、３１…配電線、４０…スマートサーバ、５０…発電所、５１…送電線、６０…ネットワーク、１００…エネルギー管理システム、１１０…分電盤、１２０…負荷、１３０…ＰＶユニット、１３１…ＰＶ、１３２…ＰＣＳ、１４０…蓄電池ユニット、１４１…蓄電池、１４２…ＰＣＳ、１５０…燃料電池ユニット、１５１…燃料電池、１５２…ＰＣＳ、１６０…貯湯ユニット、２００…ＥＭＳ、２１０…受信部、２２０…送信部、２３０…表示部、２４０…制御部
【図１】
0005869424.tif 000002
【図２】
0005869424.tif 000003
【図３】
0005869424.tif 000004
【図４】
0005869424.tif 000005
【図５】
0005869424.tif 000006
【図６】
0005869424.tif 000007
【図７】
0005869424.tif 000008